(57)【要約】【課題】  ケーブルの端末処理作業中に屋外用がい管型端末内に挿入されたケーブル端部の導体を上部金具の導体収容部に収容でき、その結果端子部とケーブル端部の導体とを確実に接続できる屋外用がい管型端末を提供する。【解決手段】  段剥ぎされ、先端に導体を露出させたケーブル端部が挿通される筒状のがい管と、その先端部分または当該先端部分に水密状態に固着された固定部に着脱自在に固定され、前記がい管の管軸方向外方に突出する前記導体を内部に収容してこれと接続可能な端子部と、該端子部を前記がい管先端部分または前記固定部に固定した場合に両者の間を水密状態に維持する水密部材とを備えたケーブルの屋外用がい管型端末。前記端子部は、前記導体を内部に収容するように断面円形状または長さ方向に沿って切欠きを有する断面略Ｃ型状の管状部材を有するものである。前記管状部材は、当該部材の内外に貫通する貫通孔を少なくとも１つ備えている。【選択図】  図１
2008148418.tif 000002
【特許請求の範囲】
【請求項１】
段剥ぎされ、先端に導体を露出させたケーブル端部が挿通される筒状のがい管と、その先端部分または当該先端部分に水密状態に固着された固定部に着脱自在に固定され、前記がい管の管軸方向外方に突出する前記導体を内部に収容してこれと接続可能な端子部と、該端子部を前記がい管先端部分または前記固定部に固定した場合に両者の間を水密状態に維持する水密部材とを備えたことを特徴とするケーブルの屋外用がい管型端末。
【請求項２】
前記端子部は、前記がい管側の端部に脱出不能にロックナットを備えており、これを前記がい管の先端部分または前記固定部の外周面に形成されたねじ部に螺合することによって前記がい管の先端に着脱自在に固定されるものである請求項１に記載の屋外用がい管型端末。
【請求項３】
前記端子部は、前記導体を内部に収容すべく、断面円形状の管状部材または長さ方向に沿って切欠きを有する断面略Ｃ型状の管状部材を有する請求項１または2に記載の屋外用がい管型端末。
【請求項４】
前記管状部材は、当該部材の内外に貫通する貫通孔を少なくとも１つ備えてなる請求項１〜３のいずれか１項に記載の屋外用がい管型端末。
【請求項５】
前記導体には、その外周面を少なくとも被覆可能なスリーブが取り付けられてなる請求項１〜４のいずれか1項に記載の屋外用がい管型端末。
【請求項６】
がい管の先端部分に水密状態に固着される固定部と、当該固定部に着脱自在に固定されて前記がい管の管軸方向外方に延び、段剥ぎされたケーブル端部に露出する導体を内部に収容して接続可能な端子部と、該端子部を前記固定部に固定した場合に両者の間が水密状態に維持する水密部材とを備えたことを特徴とする屋外用がい管型端末の上部金具。
【請求項７】
前記端子部は、前記固定部側の端部に脱出不能に備えるロックナットを前記固定部の外周面に形成されたねじ部に螺合することによってこれに着脱自在に固定されるものである請求項６に記載の屋外用がい管型端末用の上部金具。
【請求項８】
前記端子部は、前記導体を内部に収容すべく、断面円形状の管状部材または長さ方向に沿って切欠きを有する断面略Ｃ型状の管状部材を有する請求項６または７に記載の屋外用がい管型端末の上部金具。
【請求項９】
前記管状部材は、当該部材の内外に貫通する貫通孔を少なくとも１つ備えてなる請求項６〜８のいずれか１項に記載の屋外用がい管型端末用の上部金具。
【発明の詳細な説明】
【技術分野】
【０００１】
本発明は、接続端子を有する上部金具と段剥ぎされたケーブル端部の導体とを確実に接続できるケーブルの屋外用がい管型端末に関する。
【背景技術】
【０００２】
高圧ケーブル(以下、単にケーブルという。)を架線した電線路では、例えば屋外の電気機器との接続場所などにおける当該ケーブルの終端部を端末処理することが行われる。この端末処理では、ケーブル終端部に高圧ケーブルと同等の性能が要求されるため、屋外におけるケーブル終端部の端末処理では、がい管を備えた屋外用がい管型端末が使用されるのが通常である。特に塩害の著しい地域では、この屋外用がい管型端末として、磁器製のがい管を備えたものが使用される。
【０００３】
図５は、一般的な高圧ケーブルの屋外用がい管型端末の一例を示しており、図中、当該端末の軸線方向半分は断面で示している。この図に示すように、屋外用がい管型端末１は、ケーブル挿入口１４ｂから管軸方向先端の開口１４ａに向けて内部に貫通孔を有する筒状の磁器製がい管１４と、その先端に固着された上部金具３とを有し、これにケーブル挿入口１４ｂを通してがい管１４内にストレスコーン１５が装着されたケーブル端部２１が挿通された構造を備えている。上部金具１０は、がい管１４の先端に水密状態に固着される固定部１３ｃと、該固定部１３に一体に固定され、がい管１１の管軸方向外方に向けて延びる端子部１０とを備え、端子部１０は、内部に導体２７を収容可能な管状部材１０ｂと、その先端に固定された接続端子１０ａとから構成されている。ストレスコーン１５は、ケーブル挿入口１４ｂ側の端部外周に嵌め込まれる。がい管１４には、ケーブル挿入口１４ｂ寄りに支持金具１６が取り付けられており、この支持金具１６によって支持物（不図示）にこの屋外用耐塩端末１が支持されるようになっている。がい管１４の貫通孔内とケーブル端部との間には、絶縁コンパウンド１７が充填されている。
【０００４】
端末処理によってケーブル端部にこのような端末を形成するには、図６に示すように、まずケーブル端部２１について段剥ぎが行われる。この段剥ぎは、ケーブル端部２１のシースの中から金属遮蔽テープ層２３、外部半導電層２５、絶縁層２６、導体２７を順次露出させて当該導体２７の先端を面取りするものである。こうして段剥ぎされたケーブル端部２１にストレスコーン１５を装着した上で、該ケーブル端部２１ががい管１４のケーブル挿入口１４ｂから挿入される。ケーブル端部２１を所定の長さ挿入すると、通常、先端の導体２７は端子部１０の管状部材１０ｂ内に収容されるので、この管状部材１０ｂの外周を所定の圧縮工具（不図示）を用いて圧縮することで、ケーブル端部２１の導体２７と端子部とは接続される。その後、ストレスコーン１５の下部をテープ処理し、このようにして形成された端末を所定の支持物に支持金物１６によって固定し、接地処理を行うことで、ケーブルの端末処理は完了する。なお、端子部の管状部材としては圧縮接続用と圧着接続用とが公知となっており、図５では圧縮接続用を図示するが、圧着接続用の端子部の場合にも使用される工具が異なるだけで、同様の手順で屋外用がい管型端末が形成される。
【特許文献１】特開平８−５１７１７号公報
【特許文献２】特開平１０−５１９３６号公報
【発明の開示】
【発明が解決しようとする課題】
【０００５】
しかし、例えばケーブル端部の導体は、細く、腰の弱い軟銅線からなる素線を撚り合わせたものであり、個々の素線が解ける現象、いわゆるワライや導体が折れ曲がる現象が生じやすい。ケーブル端部をがい管の挿入口から挿入する際に、例えばがい管内部のテーパー面に先端の導体が当たるなどして当該導体に折れ曲がりやワライが生じた場合、がい管先端に一体に固定されている端子部内の導体収容室内にケーブル先端の導体が収容されず、ケーブル端部をがい管の挿入口から所定の長さだけ挿入できないことがあった。その場合、がい管からケーブル端部を抜き出して、導体を構成する個々の芯線のくせを取り除いた後にはんだ仕上げを行い、その先端をヤスリ掛けし面取りしなければならず、煩雑な作業を作業者に強いることになる。また、そのように導体の先端にはんだ仕上げおよび面取りを行ったケーブル端部を再度がい管の挿入口から挿入しても、今度は面取りが不十分だったりすると、上部金具の導体収容部内に入らず、結果的にケーブル端部を所定の長さだけがい管内に挿入できないことが起こり得た。
【０００６】
一方、ケーブル端部ががい管内に所定の長さ挿入できた場合でも、先端の導体ががい管内部のテーパー面に当たることにより完全に折れ曲がり、上部金具の導体収容部内に収容されていないことがあった。この場合、上部金具の圧縮部を所定の圧縮工具を用いてケーブル端部に端子部を圧縮接続または圧着接続した後に両者間の導通試験を行うと、導通が認められず、がい管からケーブルを引き抜くことができるといった事態も起こり得た。このようにケーブル端部の導体と端子部との接続不良が生じた場合、この屋外用がい管型端末は上部金具の端子部をすでに圧縮変形させてしまっているので、再利用することができず、結局新たな屋外用がい管型端末に取り換えなければならなかった。
【０００７】
本発明は、前記課題を解決すべく完成されたものであり、ケーブルの端末処理作業中に屋外用耐塩端末内に挿入されたケーブル端部の導体を上部金具の導体収容部に収容して当該導体を端子部と確実に接続できる屋外用がい管型端末を提供することを目的とする。
【課題を解決するための手段】
【０００８】
前記目的は、本発明の一局面によれば、段剥ぎされ、先端に導体を露出させたケーブル端部が挿通される筒状のがい管と、その先端部分または当該先端部分に水密状態に固着された固定部に着脱自在に固定され、前記がい管の管軸方向外方に突出する前記導体を内部に収容してこれと接続可能な端子部と、該端子部を前記がい管先端部分または前記固定部に固定した場合に両者の間を水密状態に維持する水密部材とを備えたことを特徴とするケーブルの屋外用がい管型端末によって達成される。
【０００９】
また、前記目的は、本発明の別の局面によれば、がい管の先端部分に水密状態に固着される固定部と、当該固定部に着脱自在に固定されて前記がい管の管軸方向外方に延び、段剥ぎされたケーブル端部に露出する導体を内部に収容して接続可能な端子部と、該端子部を前記固定部に固定した場合に両者の間を水密状態に維持する水密部材とを備えたことを特徴とする屋外用がい管型端末の上部金具によって達成される。
【００１０】
前記端子部は、前記がい管の先端部分または前記固定部に着脱自在に固定できれば、その固定方法については特に限定されず、螺合、嵌合、係合などの方法を用いて着脱自在に固定することができる。例えば、螺合する場合、前記がい管の先端部分または前記固定部の外周面にねじ部を形成するとともに、前記端子部にはそのがい管側の端部に、内周面にねじ部を刻設したロックナットを脱出不能に設けておき、該ロックナットを前記がい管または固定部のねじ部に螺合することによって当該がい管の先端に前記固定部を介して端子部を着脱自在に固定することができる。
【００１１】
また、前記水密部材は、前記端子部を前記がい管の先端部分または前記固定部に固定した場合に、両者の間を水密状態に維持して外部から内部への水の浸入を防止するものである。水密部材は、このような機能を有するものであれば、その形態や性状については制限されない。例えば、防水性を有する各種コンバウンドなどの液状、ペースト状であってもよく、固体状であってもよい。後者の固体状の場合、防水性を有する各種弾性体や塑性体などを用いることができ、パッキンなどの成形品であってもよい。
【００１２】
前記端子部は、その内部に前記ケーブル端部の導体を収容する空間を備えており、当該導体を収容した後に圧縮または圧着などによってこの導体と固定される。この内部空間は、通常、断面円形状の管状部材によって形成されるが、長さ方向に沿って切り欠きを有する断面略Ｃ型状の管状部材であってもよい。管状部材をこのような形状とした場合、がい管先端から突出するケーブル端部の導体にこの端子部を嵌装する際に、切り欠きを通して当該導体の挿入状況を確認することができる利点がある。
【００１３】
さらに、前記管状部材には、その内外に貫通する貫通孔を少なくとも１つ設けることができる。このように少なくとも１つの貫通孔を管状部材に設けることで、端子部内にケーブル端部の導体を挿入する際、またはケーブル端部の導体と端子部とを接続する際にこの貫通孔を通して導体の表面に塗布した絶縁コンパウンドが漏出し、これによってもケーブル端部の導体が端子部内に確実に挿入されたことを確認できる。
【００１４】
本発明の屋外用がい管型端末におけるがい管としては、高分子樹脂製や磁器製などの公知のものがいずれも好適に使用できる。
【発明の効果】
【００１５】
本発明の屋外用がい管型端末は、端子部をがい管の先端部分または当該部分に固着された固定部に着脱自在に固定することとしたので、ケーブル端部の端末処理に際してこの端子部を固定部から取り外しておき、がい管にケーブル端末を挿入してその先端部より導体を突出させた上で端子部を被せるようにして固定部に固定することができる。その結果、ケーブル端部の導体を端子部内の導体収容空間に確実に収容できるとともに、ケーブル導体と端子部とを確実に接続することができる。また、その際に、水密部材を備えるので、端子部をがい管の先端部分または固定部に着脱自在に固定するようにした場合でも、固定する際にこれらの間で水密状態を維持することができる。
【発明を実施するための最良の形態】
【００１６】
以下、図１〜図４を参照して本発明の屋外用がい管型端末の実施形態について詳細に説明する。図１は、本発明の屋外用耐塩端末の実施形態の一例を示す図であり、当該端末の軸線方向半分は断面で示している。図２は、図１中、楕円で囲んだ部分の拡大断面図である。これらの図に示す本発明の屋外用がい管型端末１の基本的構成は、図５に示す従来の端末のそれと同様であるので、同一または共通の各部については同一の符号を用い、重複する説明は省略する。
【００１７】
端子部１０は、断面円形状の管状部材１０ｂと、その一端に固定され、略中央に２個のボルト通し孔を有する板状の接続端子１０ａと、他端面に面一に管状部材１０ｂの外周面から放射状に延設された外鍔１０ｃとを備えている。管状部材１０ｂの長さ方向中間には、ケーブル端部２１の導体２７とこれとを圧縮接続するために大径の圧縮部１０ｄを有している。ロックナット１２は、管状部材１０ｂの外径よりも僅かに大きい直径の開口をその上部に有しており、この開口にこの圧縮部１０ｄと外鍔１０ｃとの間の管状部分を通すようにすることで管状部材１０ｂから脱出不能に取り付けられている。この外鍔１０ｃの接続端子１０ａ側の面とロックナット１２の前記開口を有する上部内面との間には、図２に示すように、リング状の防水パッキン２８が介在されている。
【００１８】
がい管１１の先端部分には固定部１３が固着されている。該固定部１３の外周面には、ねじ部１３ａが設けられ、このねじ部１３ａに前記のロックナット１２が螺合されることにより、その上部内面と外鍔１０ｃとの間の防水パッキン２８が圧縮され端子部１０と固定部１３との間の水密状態を維持しつつ、端子部１０はがい管１４の先端に固定された固定部１３に着脱自在に固定されるようになっている。
【００１９】
図３は、図１に示す本発明の屋外用がい管型端末の端子部の別の例の拡大図を示している（がい管については図示を省略している）。この図に示す端子部１０は、その管状部材１０ｂにその長さ方向に沿って切り欠き１８が設けられており、この管状部材１０ｂの長さ方向に直角な断面は略Ｃ型状を呈している。このように切り欠き１８を管状部材１０ｂに設けることで、端子部１０の管状部材１０ｂ内へのケーブル端部２１の導体２７の挿入状態を確認しながら当該導体を挿入することができる。
【００２０】
図４は、図１に示す本発明の屋外用がい管型端末の端子部のさらに別の例の拡大図を示しており、図３と同様、がい管については図示を省略している。この図に示す端子部１０は、その管状部材１０ｂの中間領域に設けられた圧縮部１０ｄにその長さ方向に沿って内外に貫通する２つの貫通孔１９、１９が設けられている。この貫通孔１９、１９を穿設しておくことで、ケーブル端部２１の導体２７が管状部材１０ｂ内部の収容空間１１に収容される際に導体表面に塗布した絶縁コンパウンドが漏出するので、さらに端子部１０内の導体収容空間１１に導体２７が確実に収容されたことを確認できる。この貫通孔１９は、図２に示す切り欠き１８を備える端子部１０にも、当該切り欠き１８の位置を外してこれとともに管状部材１０ｂの外周面に設けることができる。
【００２１】
さらに本発明においては、ケーブル端部２１の導体を端子部に確実に接続するために必要であれば、ケーブル端部の導体にワライや折れ曲がりが生じないように公知のスリーブ（不図示）を用いて少なくとも導体の外周面を被覆することもできる。このスリーブは、導電性材料を円筒状に形成したものである。好ましくは、スリーブは、導体２７の先端面および外周面を被覆できるようにその管軸方向一端の開口は閉じられているのがよい。
【００２２】
次に、本実施形態の屋外用がい管型端末１を用いたケーブルの端末処理方法について説明する。この屋外用がい管型端末１の取り付けにあたり、事前にケーブル端部２１の段剥ぎを行い、当該端部のシースの中から金属遮蔽テープ層２３、外部半導電層２５、絶縁層２６、導体２７を順次露出させる。このとき、必要であれば、前記のように導体２７にスリーブを被せることができる。
【００２３】
がい管の固定部から端子部を分離した状態で、団剥ぎしたケーブル端部２１をがい管１４のケーブル挿入口１４ｂから挿入し、固定部先端の開口１４ａからケーブル端部２１の導体２７を突出させる。その際、がい管１４内部とケーブル端部２１との間に絶縁コンパウンドを充填する。この絶縁コンパウンドは、予めがい管内部に充填しておいてもよく、ケーブル端部を挿入した後に充填してもよい。
【００２４】
次に、端子部１０の導体収容空間１１内に絶縁コンパウンドを充填しておき、この端子部１０を固定部先端から突出した導体２７に被せ、ロックナットを固定部１３の外周面のねじ部に螺合して締め付けて端子部１０と固定部１３とを固定する。このように、導体２７に対して端子部１０を被せるようにしたので、導体２７のワライなどが生じることがない。また、端子部１０の管状部材を断面略Ｃ字型に形成し、および／またはその周面に貫通孔を設けておき、端子部１０への導体２７の挿入状態を確認するようにしてもよい。その後、所定の圧縮工具または圧着工具を用いて管状部材の所定の部分を圧縮または圧着して導体２７と端子部１０とを接続する。
【００２５】
以上説明したように、本発明の屋外用がい管型端末を用いることで、ケーブル端部の導体ががい管内のいずれかの部位に当接して端子部および固定部からなる上部端子において端子部を固定部に着脱自在に固定することとしたので、ケーブル端部の端末処理に際してこの端子部を固定部から取り外しておき、がい管にケーブル端末を挿入してその先端部より導体を突出させた上で端子部を被せるようにして固定部に固定することができ、その結果確実にケーブル端部の導体を端子部内の導体収容室に収容でき、ケーブル導体と端子部とを確実に接続することができる。
【００２６】
また、本発明の屋外用がい管型端末は、仮に端子部を取り替える必要が生じた場合でも、端子部のみをがい管から取り外すことができるので、全体を交換しなければならない従来の端末と比べて作業時間の短縮や材工費の低減が図れる。
【図面の簡単な説明】
【００２７】
【図１】本発明の屋外用がい管型端末の実施形態の一例を示す図である。
【図２】図１中、楕円形で囲まれた部分の拡大断面図である。
【図３】本発明における端子部の別の例を示す図である。
【図４】本発明における端子部のさらに別の例を示す図である。
【図５】一般的な屋外用がい管型端末の一例を示す図である。
【図６】ケーブル端部の段剥ぎ状態を示す図である。
【符号の説明】
【００２８】
１    屋外用がい管型端末
１０    端子部
１０ａ    板状の接続端子
１０ｂ    管状部材
１０ｃ    外鍔
１１    導体収容空間
１２    ロックナット
１３    固定部
１４    がい管
１５    ストレスコーン
１６    支持金具
１７    絶縁コンパウンド
１８    切り欠き
１９    貫通孔
２１    ケーブル端部
２２    シース
２３    金属遮蔽テープ層
２４    接地線
２５    外部半導電層
２６    絶縁体層
２７    導体
２８    防水パッキン
【図１】
2008148418.tif 000003
【図２】
2008148418.tif 000004
【図３】
2008148418.tif 000005
【図４】
2008148418.tif 000006
【図５】
2008148418.tif 000007
【図６】
2008148418.tif 000008